(57)【要約】  【課題】芳香物品を使用しなくても光記録媒体や冊子体に香りを添付することが可能であり、かつ、それぞれが持つ精神的な症状を改善する効果を相乗することが可能な芳香光記録媒体、及びそれを添付した冊子体を開示すること。【解決手段】基板と、前記基板に設けられた情報記録領域と、前記基板中央に設けられた中心孔と、前記情報記憶領域に設けられた情報を読み取る際に、レーザー光が入射する面と対向する面に設けられたレーベルと、前記レーベルに存在し、レーベル形成時にスキージーにより破壊した破壊マイクロカプセルと、前記レーベルに存在し、レーベル形成時にスキージーにより破壊されない非破壊マイクロカプセルと、前記破壊マイクロカプセル、及び、非破壊マイクロカプセル内に存在する香料と、を有する光記録媒体を、収納体によって密封したことを特徴とする芳香光記録媒体、及びこれを添付した冊子体である。【選択図】図１
2005149663.tif 000002
【特許請求の範囲】
【請求項１】
基板と、
前記基板に設けられた情報記録領域と、
前記基板中央に設けられた中心孔と、
前記情報記憶領域に設けられた情報を読み取る際に、レーザー光が入射する面と対向する面に設けられたレーベルと、
前記レーベルに存在し、レーベル形成時にスキージーにより破壊した破壊マイクロカプセルと、
前記レーベルに存在し、レーベル形成時にスキージーにより破壊されない非破壊マイクロカプセルと、
前記破壊マイクロカプセル、及び、非破壊マイクロカプセル内に存在する香料と、
を有する光記録媒体と、
前記光記録媒体を密封する収納体と、を有し、
前記光記録媒体を前記収納体によって密封したことを特徴とする芳香光記録媒体。
【請求項２】
基板と、
前記基板に設けられた情報記録領域と、
前記基板中央に設けられた中心孔と、
前記情報記憶領域に設けられた情報を読み取る際に、レーザー光が入射する面と対向する面に設けられ、概念駆動型可視情報を有するインキ層と、透明インキ層とを有するレーベルと、
前記透明インキ層に存在し、レーベル形成時にスキージーにより破壊した破壊マイクロカプセルと、
前記透明インキ層に存在し、レーベル形成時にスキージーにより破壊されない非破壊マイクロカプセルと、
前記破壊マイクロカプセル、及び、非破壊マイクロカプセル内に存在する香料と、
を有する光記録媒体と、
前記光記録媒体を密封する収納体と、を有し、
前記光記録媒体を前記収納体によって密封したことを特徴とする請求項１記載の芳香光記録媒体。
【請求項３】
前記レーベルは、少なくとも前記非破壊マイクロカプセルが存在する、少なくとも１つの摩擦領域を有することを特徴とする請求項１又は請求項２いずれか一つに記載の芳香光記録媒体。
【請求項４】
前記摩擦領域は、前記中心孔から放射状に区分され、かつ、その中心角が９０度以下の略扇状であることを特徴とする請求項３記載の芳香光記録媒体
【請求項５】
前記光記録媒体は、レンズクリーナーであることを特徴とする請求項１乃至請求項４いずれか一つに記載の芳香光記録媒体。
【請求項６】
前記光記録媒体の情報記憶領域に設けられた情報と、前記香料が発生する香りと、が同一の概念を駆動することを特徴とする請求項１乃至請求項５いずれか一つに記載の芳香光記録媒体。
【請求項７】
請求項１乃至請求項６いずれか一つに記載の芳香光記録媒体を添付したことを特徴とする冊子体。
【請求項８】
前記光記録媒体の情報記憶領域に設けられた情報と、
前記香料が有する香りと、
前記冊子体に掲載された内容と、が同一の概念を駆動することを特徴とする請求項７記載の芳香光記録媒体。
【発明の詳細な説明】
【技術分野】
【０００１】
本発明は、香りを提供することが可能な光記録媒体、および、それを添付した冊子体（例えば本、書籍、雑誌、パンフレット、カタログ、小冊子などがあるが、これに限定しない）に関する。
【背景技術】
【０００２】
従来より、ストレスの多い現代社会において、心身の緊張をほぐすために様々なものが利用されており、その一つとして、香りがある。香りは、その種類によって解熱作用、解毒作用、鎮静作用等様々な作用を有しており、精神不安、神経過敏、うつ状態などの精神的な症状を改善するという効果をもたらす。
【０００３】
近年、香りは、別の物品と香りとを組み合わせることにより、物品が持つ精神的な症状を改善する効果と、香りが持つ精神的な症状を改善する効果とを相乗させ、より良い状態にするために、様々な物品に添付され販売・頒布されている。例えば、音楽ＣＤのような光記録媒体に香りを添付して販売・頒布されている。このように光記録媒体に香りを添付することによって、香りが持つ精神的な症状を改善する効果と、音楽が持つ精神的な症状を改善する効果を相乗させることが可能になるため、精神的な症状をより改善する事が可能になり、より良い状態にすることが可能になる。また例えば、光記録媒体と香りが添付された冊子体も頒布・販売されている。このように、冊子体に光記録媒体と香りの両方を添付することによって、香りが持つ精神的な症状を改善する効果と、音楽が持つ精神的な症状を改善する効果と冊子体の内容（例えば、掲載された詩や文章や絵や写真等があるがこれに限定しない）が持つ精神的な症状を改善する効果とを相乗させることが可能になるため、精神的な症状をより改善することが可能になり、より良い状態にすることを可能にしている。
【０００４】
従来より、香りを光記録媒体や冊子体に添付する場合は、お香やポプリや香りを生じる芳香木材等（以下、お香やポプリや香りを生じる芳香木材等を「芳香物品」と称す。）を光記録媒体や冊子体に添付することによってなされていた。しかし、芳香物品を添付することによって光記録媒体や冊子体に香りを添付する場合では、芳香物品を添付しなければならない為、製造工程が増加し、製造コストが上がってしまうと言う問題を有していた。よって、光記録媒体や冊子体に香りを添付する場合に、芳香物品を使用しなくても添付することが可能な方法が求められていた。
【０００５】
ここで、特許文献１には、香りを発する香料を有するマイクロカプセルをレーベルに設けた光記録媒体が開示されている。これは、熱や圧力等の衝撃が加わったことによって、光記録媒体が再生できなくなっている状態を香りによって知らせる事が可能になるように、レーベルが、熱や圧力等によって破壊されるマイクロカプセルを有する光記録媒体である。よって、光記録媒体のレーベルが、香料が内在するマイクロカプセルを有するため、芳香物品を使用しなくても香り発する香料を光記録媒体に添付することが可能になり、また、芳香容器を使用しなくても香りを発する香料と光記録媒体を冊子体に添付することが可能になる。よって、芳香物品を使用しなくても、光記録媒体に香りを添付することが可能になり、また、芳香物品を使用しなくても光記録媒体と冊子体に添付することが可能になる。しかし、特許文献１が開示している光記録媒体では、芳香物品を使用しないで香料を添付することが可能であるが、光記録媒体が異常な状態にならなければマイクロカプセルが破壊されず香りが発生しない為、香りが持つ精神的な症状を改善する効果と音楽が持つ精神的な症状を改善する効果とを相乗することが出来ないという問題を有していた。
【０００６】
つまり、特許文献１が開示している光記録媒体では、熱や圧力等の衝撃を与えて光記録媒体が再生できなくなる状態にしなければマイクロカプセルが破壊されず、香料が発生する香りを外に発散させることが出来ないため、香りを嗅ぐ為には、光記録媒体に衝撃等を与えて異常な状態にしなければならない。しかし、光記録媒体を異常な状態にしてしまうと、音楽を聴く事が出来なくなってしまうのである。結局、香りを嗅ごうとすると音楽を聴くことが出来ず、逆に、音楽を聴こうとすると香りを嗅ぐことが出来ないため、香りが持つ精神的な症状を改善する効果と、音楽が持つ精神的な症状を改善する効果とを相乗することができない。
【０００７】
なお、特許文献１が開示している光記録媒体では、光記録媒体が異常な状態になればマイクロカプセルが破壊されて香りを発生する為、最初に音楽を聴き、その後に、光記録媒体に熱や圧力等の衝撃を与え異常な状態にして香りを発生させれば、音楽を聴いて香りを嗅ぐことが可能になる。しかし、このやり方では、音楽が持つ精神的な症状を改善する作用と、香りが持つ精神的な症状を改善する作用とを相乗させて、より良い状態にすることは困難である。なぜなら、香りと音楽との各々が持つ精神的な症状を改善する効果を相乗させて、より良い状態にするためには、光記録媒体を再生機にかける前に香りを嗅ぐ必要があるからである。つまり、光記録媒体を再生機にかける前に香りを嗅ぎ、嗅いだ香りの残り香が漂っている中で光記録媒体を再生機にかけて音楽を聴いて、香りと音楽を略同時に感じることによって、香りが持つ効果と音楽が持つ効果を相乗させることが可能になり、より良い状態にすることが可能になるのである。香りは、一旦発すれば空気中に広がって残る為、音楽を聴く前に香りを発生させることによって、残り香が漂う状態を作り出すことが可能になり、音楽と香りとを略同時に感じさせることが可能になる。しかし、光記録媒体を再生して音楽を聴いた後に、光記録媒体に圧力等の衝撃を与えて香りを発生させるようにした場合では、すでに音楽が終わっている為、香りを嗅ぐことができたとしても、音楽と香りとを略同時に感じることができず、香りが持つ効果と音楽が持つ効果を相乗させることが出来なくなり、その結果、より良い状態にすることができない。また、香りを得る為に光記録媒体を異常な状態にしなければならなくなり、再び使用することができなくなってしまう。
【特許文献１】特開平４−２３８１２８
【発明の開示】
【発明が解決しようとする課題】
【０００８】
本願発明はこのような問題点を解決するためになされたものであり、その課題とするところは、芳香物品を使用しなくても香りを添付することが可能であり、かつ、香りが持つ精神的な症状を改善する効果と、光記録媒体や冊子体が持つ精神的な症状を改善する効果とを相乗することが可能な芳香光記録媒体、及びそれを添付した冊子体を開示することを課題とする。
【課題を解決するための手段】
【０００９】
上記課題を解決するため本願発明の請求項１は、基板と、前記基板に設けられた情報記録領域と、前記基板中央に設けられた中心孔と、前記情報記憶領域に設けられた情報を読み取る際に、レーザー光が入射する面と対向する面に設けられたレーベルと、前記レーベルに存在し、レーベル形成時にスキージーにより破壊した破壊マイクロカプセルと、前記レーベルに存在し、レーベル形成時にスキージーにより破壊されない非破壊マイクロカプセルと、前記破壊マイクロカプセル、及び、非破壊マイクロカプセル内に存在する香料と、を有する光記録媒体と、前記光記録媒体を密封する収納体と、を有し、前記光記録媒体を前記収納体によって密封したことを特徴とする芳香光記録媒体である。
【００１０】
また、本願発明の請求項２は、基板と、前記基板に設けられた情報記録領域と、前記基板中央に設けられた中心孔と、前記情報記憶領域に設けられた情報を読み取る際に、レーザー光が入射する面と対向する面に設けられ、概念駆動型可視情報を有するインキ層と、透明インキ層とを有するレーベルと、前記透明インキ層に存在し、レーベル形成時にスキージーにより破壊した破壊マイクロカプセルと、前記透明インキ層に存在し、レーベル形成時にスキージーにより破壊されない非破壊マイクロカプセルと、前記破壊マイクロカプセル、及び、非破壊マイクロカプセル内に存在する香料と、を有する光記録媒体と、前記光記録媒体を密封する収納体と、を有し、前記光記録媒体を前記収納体によって密封したことを特徴とする請求項１記載の芳香光記録媒体である。
【００１１】
また本願発明の請求項３は、前記レーベルは、前記非破壊マイクロカプセルが存在する、少なくとも１つの摩擦領域を有することを特徴とする請求項１又は請求項２いずれか一つに記載の芳香光記録媒体である。
【００１２】
また本願発明の請求項４は、前記摩擦領域は、前記中心孔から放射状に区分され、かつ、その中心角が９０度以下の略扇状であることを特徴とする請求項３記載の芳香光記録媒体である。
【００１３】
また、本願発明の請求項５は、前記光記録媒体は、レンズクリーナーであることを特徴とする請求項１乃至請求項４いずれか一つに記載の芳香光記録媒体。
である。
【００１４】
また本願発明の請求項６は、前記光記録媒体の情報記憶領域に設けられた情報と、前期香料が発生する香りと、が同一の概念を駆動することを特徴とする請求項１乃至請求項５いずれか一つに記載の芳香光記録媒体である。
【００１５】
また、本願発明の請求項７は、請求項１乃至請求項６いずれか一つに記載の芳香光記録媒体を添付したことを特徴とする冊子体である。
【００１６】
また、本願発明の請求項８は、前記光記録媒体の情報記憶領域に設けられた情報と、前記香料が有する香りと、前記冊子体に掲載された内容と、が同一の概念を駆動することを特徴とする請求項７記載の芳香光記録媒体である。
【発明の効果】
【００１７】
すなわち、本願請求項1記載の発明によれば、基板と、前記基板に設けられた情報記録領域と、前記基板中央に設けられた中心孔と、前記情報記憶領域に設けられた情報を読み取る際に、レーザー光が入射する面と対向する面に設けられたレーベルと、前記レーベルに存在し、レーベル形成時にスキージーにより破壊した破壊マイクロカプセルと、前記レーベルに存在し、レーベル形成時にスキージーにより破壊されない非破壊マイクロカプセルと、前記破壊マイクロカプセル及び非破壊マイクロカプセル内に存在する香料と有する光記録媒体を、収納体によって密封するため、芳香物品を使用しなくても、香料を添付することが可能であり、更に、光記録媒体を再生機にかける前に、香りを提供することが可能になるため、香りが持つ精神的な症状を改善する効果と、光記録媒体が持つ精神的な症状を改善する効果とを相乗することが可能になる。
【００１８】
つまり、本願発明の芳香光記録媒体では、光記録媒体のレーベルが香料を有するマイクロカプセルを有するため、芳香物品を添付しなくても香りを発する香料を添付することが可能になる。よって、製造コストを抑えて香りを光記録媒体に添付することが可能になる。更に、本願発明では、レーベル形成時にスキージーによって破壊した破壊マイクロカプセルを有し、更に、光記録媒体を収納体によって密封する為、香りが持つ精神的な症状を改善する効果と、光記録媒体が持つ精神的な症状を改善する効果とを相乗することが可能になり、より良い状態にすることが可能になる。
【００１９】
つまり、香りによる精神的な症状を改善する効果と、光記録媒体が有する音楽による精神的な症状を改善する効果とを相乗させる為には、香りと音楽とを略同時に感じなければならない。しかし、音楽の後にしか発生させることができない場合や、香りが薄いために残り香がないような場合や、香りが一瞬であるような場合では、音楽と香りとを略同時に感じることが出来ないため、香りによる精神的な症状を改善する効果と、音楽による精神的な症状を改善する効果とを相乗することが出来ず、より良い状態にすることが出来なくなってしまう。しかし、本願発明では、レーベル形成時にスキージーによって破壊した破壊マイクロカプセルを有するため、通常の状態で、香料が有する香りを発散することが可能である。更に、光記録媒体は、収納体によって密封されるため、収納体の中に香りを蓄積することが可能になる。そして、収納体の開封時に一斉に香りを提供することが可能になるため、開封時に残り香が漂う状況を作り出すことが可能になり、香りが持つ精神的な症状を改善する効果と音楽が持つ精神的な症状を改善する効果とを相乗することが可能になり、より良い状態にすることが可能になる。
【００２０】
ここで、収納体によって光記録媒体を密封するのは、レーベルを形成した後である。また、本願発明の芳香光記録媒体において、破壊マイクロカプセルがレーベルに存在するというのは、レーベルを構成するインキに、香料を有するマイクロカプセルが含まれているということである。つまり、レーベルを構成するインキに、香料を有するマイクロカプセルを含ませておき、スクリーン印刷方式によってレーベルを形成すると同時に、インキに含まれているマイクロカプセルをスキージーによって破壊して破壊マイクロカプセルを形成することにより、香料が有する香りの発散を可能にしている。よって、レーベルを形成した後は、破壊マイクロカプセルに存在する香料の香りが発散している為、レーベルを形成した光記録媒体を収納体によって密封することにより、香りを収納体内に蓄積することが可能になり、収納体の開封時に一斉に香りを提供することが可能になる。なお、レーベルを形成した後であれば、任意のタイミングで光記録媒体を密封することが可能であるが、長時間密封しないままでいると、香料が香りをほとんど発散してしまう場合も考えられるため、レーベルを形成してから、２４時間以内に密封することが好ましく、更に好ましくは、１２時間以内に密封することが好ましい。なお、これらに限定する必要は無く、光記録媒体を密封するタイミングは、マイクロカプセルが有する香料の種類と、スキージーによって破壊した破壊マイクロカプセルの量によって任意に定めることが可能である。また、香料を有するマイクロカプセルはレーベルを形成するインキ内に存在すれば、何色のインキに含まれていても良い。例えば、レーベルを赤のインキと黄色のインキで構成する場合では、香料を有するマイクロカプセルは、赤のインキに存在するようにしても良いし、黄色のインキに存在するようにしてもよい。
【００２１】
更に、本願発明の芳香光記録媒体は、レーベルを形成すると同時に破壊マイクロカプセルを形成し、更に、破壊マイクロカプセルを形成した後は収納体によって密封される為、開封時に、開封するという行為だけで一斉に香りを提供することが可能になり、その結果、香りによって精神的な症状を改善することをより効果的に行う事が可能になる。
【００２２】
すなわち、香りによって精神的な症状を改善することが出来るのは、香りが臭覚の神経細胞を刺激し、この刺激が、記憶や感情や喚起や情緒等を司る感情中枢に伝わるからである。ここで、臭覚の神経細胞を刺激するためには、それまでと違う香りを嗅ぐ必要がある。つまり、それまでと違う香りを嗅いだときに、その香りが新たな臭覚の神経細胞を刺激し、その刺激が、記憶や感情や喚起や情緒等を司る感情中枢に伝わるのである。よって、例えば、それまでと同じ香りが香っている場合や、香りが徐々に漂ってきたために知らず知らずのうちに香り慣れてしまった場合等では、臭覚の神経細胞がそれほど刺激されなくなり、精神的な症状の改善が行われなくなってしまう。しかし、本願発明の芳香光記録媒体では、収納体を開封する行為によって、収納体内に蓄積されていた香りを一斉に提供することが可能であるため、確実に臭覚の神経細胞を刺激することが可能であり、その結果、精神的な症状を改善することが可能である。つまり、開封時は、それまでと違う香りを一斉に提供することが可能になるため、確実に臭覚の神経細胞を刺激するようになり、その刺激が、記憶や感情や喚起や情緒等を司る感情中枢に伝わるようにすることが可能であり、その結果、精神的な症状を改善することが可能である。
【００２３】
更に、本願発明の芳香光記録媒体は、開封時に開封するという行為だけで、香りを提供することが可能になるため、香りによって精神的な症状を改善することをより効果的に行う事が可能になる。つまり、それまでと違う香りを一斉に提供しても、香りに対して利用者が興味を持たなければ、精神的な症状を改善することはできない場合がある。例えば、それまでと違う香りを提供しても、利用者の興味が香り以外の物にある場合では、香りを嗅ごうとしなかったり、香りを嗅いでも臭覚の神経細胞をそれほど刺激しないため、刺激が感情中枢まで伝わらず、精神的な症状を改善することができなくなる場合が考えられる。しかし、本願発明では、開封時に、開封するという行為だけで香りを提供することが可能である為、香りによって精神的な症状を改善することをより効果的に行う事が可能になる。なぜなら、香りに対する利用者の興味が最も高いのは、開封時だからである。つまり、利用者は、開封時に香りを嗅いで、香りがもたらす精神的な症状を改善する効果がどれくらいなのかを知りたいと希望しており、開封時に最も香りを嗅ごうとする。このとき、例えば、開封時では何の香りもせず、レーベルを擦る等のような何らかの動作を介して初めて香りが発生するような場合では、すでに香りに対する興味が薄れてしまい、香りに対する興味が薄れ、発生させた香りを嗅ごうとしなくなってしまったり、更には、香りを発生させようとしなくなってしまい、香りによる精神的な症状を改善する効果を受け入れようとしなくなるという問題がある。本願発明の芳香光記録媒体では、香りに対する利用者の興味が最も高い開封時に、開封するという行為だけで、一斉に香りを提供することが可能である為、利用者がより香りを嗅ごうとするようになり、その結果、香りによって精神的な症状を改善することを効果的に行う事が可能になる。
【００２４】
更に、本願発明の芳香光記録媒体は、レーベル形成時にスキージーによって破壊されない非破壊マイクロカプセルを有する為、香りを持続することが可能になる。すなわち、本願発明の芳香光記録媒体は、スキージーによってマイクロカプセルを破壊する為、スキージーが版を押す圧力を調整することにより破壊するマイクロカプセルの量を変更することが可能である。つまり、スキージーが版を押す圧力を調整することにより、スキージーによって破壊される破壊マイクロカプセルと、スキージーによって破壊されない非破壊マイクロカプセルの両方を形成することが可能になる。よって、破壊マイクロカプセルが有する香料がほとんどの香りを発散してしまった祭は、この非破壊マイクロカプセルを破壊することによって、再び香りを発生させることが可能になり、香りを長時間持続させることが可能になる。
【００２５】
なお、この非破壊マイクロカプセルを破壊するのは、破壊マイクロカプセルが香りを発生しなくなったり、破壊マイクロカプセルから発生される香りが薄くなった際など、任意の時に破壊することが可能であるが、収納体に戻す際に破壊するのが好ましい。収納体に戻す際に、非破壊マイクロカプセルを破壊しておくことによって、再び開封する時に一斉に香りを提供することが可能になり、効果的に精神的な症状を改善することが可能になる。
【００２６】
ここで、本願発明の芳香光記録媒体を構成する光記録媒体とは、音楽ＣＤに限定する必要は無く、レーザー光の照射によって再生や記録を行う記録媒体であり、基板にデジタル情報で構成された信号の微小な凹凸を設け、その上に記録膜、あるいは、反射膜などの膜が積層されたものであれば全てが光記録媒体に相当する。具体的には、例えば、ＪＩＳＸ６２４１に定められる１２０ｍｍＤＶＤ再生専用ディスクやＣＤなどがあり、更に詳しくは、ＤＶＤでは、ＤＶＤ−Ｒ、ＤＶＤ−ＲＡＭ、ＤＶＤ−ＲＷ等があり、ＣＤではＣＤ−ＲやＣＤ−ＲＷなどがある。別段これらに限定する必要はなく、レーザー光の照射によって、記録・再生を行うことができる全ての記録媒体が該当する。例えば、光記録媒体を再生機のピックアップレンズの汚れを除去するレンズクリーナーも光記録媒体に該当する。また、光記録媒体に記憶される情報は、音楽に限定する必要は無く、少なくとも臭覚の神経細胞以外の感覚を刺激することができる情報であれば、例えば、聴覚の神経細胞を刺激する音楽や、視覚の神経細胞を刺激する画像や、視覚と聴覚の両方の神経細胞を刺激する映像等、任意のものを採用することが可能である。
【００２７】
また、本願発明の芳香光記録媒体を構成する収納体は、密封することが可能であれば任意のものを採用することが可能である。例えば、プラスチックケースやビニールケース等のように、通気性を有さない１つの物品によって収納体を構成するようにすることも可能であるし、また例えば、布の袋で光記録媒体を包んだ後に、ビニール袋などで密封するというように、２つ以上の物品を組み合わせて収納体を構成するようにすることも可能である。なお、２つ以上の物品を組み合わせて収納体を構成する場合では、収納体を構成する少なくとも一つの物品が通気性を有さないものである必要がある。また、収納体は、一度収納体を開封して光記録媒体を使用した後、再び光記録媒体を密封することが可能になるように、蓋部や収納口等を有している方が好ましいが、これに限定するわけではない。また、収納体の形状は、任意の形を採用することが可能であるが、その容積が小さいほど、開封時に濃い香りを提供することが可能になり、精神的な症状を改善することがより可能になるため好ましいが、これに限定するわけではない。
【００２８】
また、本願発明請求項２によれば、レーベルが有する透明インキ層が、レーベル形成時にスキージーにより破壊した破壊マイクロカプセルと、レーベル形成時にスキージーにより破壊されない非破壊マイクロカプセルを有するため、概念駆動型可視情報である絵柄を制限すること無く、レーベルを形成することが可能になる。
【００２９】
すなわち、本願発明請求項１に包含される形態である、概念駆動型可視情報である絵柄を構成するインキの少なくとも一色にマイクロカプセルが含まれるようにすると、そのインキを必ず使用しなければならない為、レーベルのデザインが限定されてしまう場合があった。本願請求項２記載の発明では、透明インキ層が、レーベル形成時にスキージーにより破壊した破壊マイクロカプセルと、レーベル形成時にスキージーにより破壊されない非破壊マイクロカプセルを有するため、概念駆動型可視情報である絵柄を制限することなくデザインすることが可能になる。
【００３０】
ここで、透明インキ層とは、例えば、ニス等の樹脂に、香料を有するマイクロカプセルを混ぜたインキのことである。なお、透明インキ層の色は、インキ層が有する概念駆動型可視情報が、透明インキ層を形成したことによって異なる概念駆動型可視情報に変化するということがなければ、透き通るような透明でなくてもよい。透明インキ層は、マイクロカプセルに内在する香料の材料や、マイクロカプセルの種類などによって、例えば、白やクリーム色のような乳白色や、不透明な色になる場合がある。よって、インキ層がそれまで有していた概念駆動型可視情報が、透明インキ層が形成されたことによって異なる概念駆動型可視情報に変化するということがなければ、例えば乳白色や不透明な色のように、略透明であってもよい。
【００３１】
なお、インキ層と透明インキ層は、任意の順に設けることが可能であるが、透明インキ層はマイクロカプセルを有する為、透明インキ層の上にインキ層を重ねる際に、透明インキ層を構成する網点と網点の間に、インキ層を構成する網点がうまく重ならない場合が考えられる為、透明インキ層がインキ層の上に重なるように設けることが好ましい。具体的には、インキ層を設けた後に透明インキ層を設けることが好ましい。
【００３２】
また、透明インキ層は、光記録媒体の目的に応じて、任意の形状に設けることが可能である。例えば、香りをより持続させたいときや、濃い香りを提供したいときなどは、レーベル全体にベタ塗りで設けてマイクロカプセルの数を増やすようにすることも可能であるし、光の加減で透明インキ層が光るように水玉模様や花柄等のように文字、記号、図形若しくはこれらの組み合わせであってもよい。なおこれらに限定する必要は無く、任意の形状に設けることが可能である。
【００３３】
また、本願の請求項３記載の発明によれば、レーベルが、少なくとも非破壊マイクロカプセルが存在する少なくとも一つの摩擦領域を有するため、効率良く香りを持続させることが可能になる。
【００３４】
つまり、本願発明の芳香光記録媒体は、レーベル形成時にスキージーにより破壊されない非破壊マイクロカプセルを有するため、レーベル形成時にスキージーにより破壊された破壊マイクロカプセルが有する香料が香りをほとんど発散してしまった場合等では、レーベルを擦ることによって非破壊マイクロカプセルを破壊することによって、非破壊マイクロカプセル内に存在する香料の香りを発散させることが可能になり、香りを再び提供することが可能になる。しかしこのとき、レーベルの任意の箇所を擦ってしまうと、もう一度レーベルを擦って香りを発生する際に、それまで何処を擦ったのかがわからなくなり、例えば、すでに擦った箇所を再び擦ってしまうという場合も考えられる。しかし、本願請求項３記載の発明では、レーベルが、非破壊マイクロカプセルが存在する少なくとも一つの摩擦領域を有するため、すでに擦った場所を認識することが可能になり、その結果、効率よく香りを持続することが可能になる。
【００３５】
ここで、摩擦領域とは、少なくとも非破壊マイクロカプセルが存在する領域であり、少なくとも一つレーベルに存在する。本願請求項３記載の発明では、この摩擦領域が存際するため、何処を擦ったのかということを認識することが可能になり、効率よく香りを持続することが香りを発生させることが可能になる。例えば、レーベルに円形の摩擦領域を２箇所設け、一つは赤い円、もう一つは青い円とし、すでに赤い円を擦って香りを発生させたのであれば、次に香りを発生させたい場合は、青い円を擦ればよいということがわかるため、すでに擦った箇所を再び擦ることなく、効率よく香りを持続させることが可能である。なお、摩擦領域以外のレーベルの部分、すなわち、摩擦領域の背景も非破壊マイクロカプセルを有することが可能である。摩擦領域の背景が非破壊マイクロカプセルを有することによって、全ての摩擦領域を擦った後は、摩擦領域の背景を擦ればよいということがわかるため、効率よく香りを持続することが可能である。
【００３６】
なお、摩擦領域の形状は、擦る場所を認識することが可能であれば、文字、記号、図形、若しくはこれらの組み合わせ等、任意の形状を採用することが可能であるが、摩擦領域を擦る際に、光記録媒体の円周と同じ方向（以下、光記録媒体の円周と同じ方向を「円周方向」と称す。）に擦るようになる形状にしてしまうと、光記録媒体を支えることができなくなり、情報記憶領域に設けられた情報を読み取る際にレーザー光が入射する面（以下、情報記憶領域に設けられた情報を読み取る際にレーザー光が入射する面を「入射面」と称す）に傷をつけてしまう場合が生じる為、摩擦領域の形状は、円周方向に擦るようになる形状にしない方が好ましい。
【００３７】
すなわち、本願発明の芳香光記録媒体は、非破壊マイクロカプセルを有する為、破壊マイクロカプセルが有する香料が、香りをほとんど発散してしまった場合等では、非破壊マイクロカプセルを破壊することによって香りを再び得ることが可能になる。しかし、光記録媒体のうち、レーベルと対向する面は、入射面であるため、レーベルを擦る際にこの入射面に傷をつけてしまうと、光記録媒体の再生が困難になってしまうという問題を有している。よって、擦る際は、入射面に傷が付かないように擦る必要があり、具体的には、光記録媒体を片手で持ち、光記録媒体を持っていないもう片方の手でレーベルを擦らなくてはならない。なぜなら、例えば、入射面を下にして机の上等に置き、レーベルを擦ろうとする場合では、レーベルを擦ると同時に光記録媒体が動くため、机の上と入射面が擦れあって入射面に傷が付いてしまう場合があるからである。しかし、光記録媒体を持ってレーベルを擦る場合でも、入射面に指や爪等が触れると入射面に傷が付いてしまうため、例えば、光記録媒体の外周を全ての指で支えるようにして、若しくは、光記録媒体の中心孔に親指以外の指を入れ、親指で光記録媒体の外周を支えるようにして、光記録媒体の直径と同じ方向（以下、光記録媒体の直径と同じ方向、すなわち、光記録媒体の外周の任意の点と、光記録媒体の中心とを結ぶ直線と同じ方向を「直径方向」と称す。）に挟持する必要がある。そして、このように光記録媒体を直径方向に挟持する場合では、光記録媒体を支える力が直径方向に働いている。しかし、このとき、円周方向に指を動かしてレーベルを擦ってしまうと、光記録媒体を支えている直径方向の力に対して擦る力が垂直に作用する為、光記録媒体を支えきれなくなり、擦る最中に落としてしまったり、入射面を触って支えるようになってしまったりする場合がある。つまり、光記録媒体を支えている直径方向の力に対して、略垂直に交わるように擦る力が作用する為、光記録媒体を支えている力が弱まり、光記録媒体を支えきれなくなってしまうのである。このことは、光記録媒体を支える手が小さければ小さいほど生じやすく、例えば、小学校や中学校等の子供が、片手で光記録媒体を支え、もう片方の手で円周方向にレーベルを擦った場合では、光記録媒体を支えきれずに落としてしまったり、入射面を触ってしまったりということが生じ、入射面に傷がついてしまう。
【００３８】
よって、摩擦領域の形状は、円周方向に擦るようになる形状にしない方が好ましく、例えば、円周に沿って緩やかなU字を描くような楕円や模様を摩擦領域に採用しない方が好ましい。逆に、直径方向に擦ることを示唆するような形状にすることが好ましく、例えば、円や正方形のように、縦方向の長さの最大と、横方向の長さの最大が略同じである図形や絵等を摩擦領域に採用した方が、円周方向に擦ることを防ぐと同時に、直径方向に擦るように示唆することが可能になる。また、縦方向の長さの最大と、横方向の長さの最大が略同じである図形や絵等を摩擦領域に採用した場合は、縦方向の長さが最大になる部分、若しくは、横方向の長さが最大になる部分のどちらかが、光記録媒体の直径方向と同じ方向になるように設けた方が、円周方向に擦ることを防ぐと同時に、直径方向に擦るように示唆することがより可能になる。なお、縦方向の長さの最大と、横方向の長さの最大が略同じである図形や絵等に限定する必要は無く、例えば、縦方向の長さの最大よりも横方向の長さの最大の方が長い図形や絵等を採用することも可能である。この場合は、長い方が直径方向と同じ向きになるように設けた方が、円周方向に擦ることを防ぐと同時に、直径方向に擦るように示唆することが可能になる。例えば、楕円を摩擦領域に採用する場合では、楕円の長軸が直径方向と同じ向きになるように設けた方が、円周方向に擦ることを防ぐと同時に、直径方向に擦るように示唆することが可能になる。なお、これらに限定する必要は無く、摩擦領域の形状は、芳香光記録媒体の使用目的や、レーベルのデザインや、摩擦領域に存在する非破壊マイクロカプセルの量や、香料の種類によって任意の形状にすることが可能であり、例えば、三角形や円形や矩形等の図形であってもよいし、星の形や花の形等のような具体的な物の形であってもよい。ただし、摩擦領域に採用した図形や絵等が向きを有するために、摩擦領域が向きを有する場合は、摩擦領域の向きが光記録媒体の外周側、若しくは、中心側に向くように設けたほうが、円周方向に擦ることを防ぐと同時に直径方向に擦るように示唆することが可能になる。例えば、りんごの絵を摩擦領域に採用する場合では、りんごのヘタの部分が、光記録媒体の外周側、若しくは、中心側に向くように設けたほうが、円周方向に擦ることを防ぐと同時に直径方向に擦るように示唆することがより可能になる。なお、これに限定する必要は無く、摩擦領域は、任意の形状にすることが可能であり、例えば、手が大きく、円周方向にレーベルを擦っても光記録媒体をしっかりと挟持することが可能な者を利用者として想定する場合等では、円周方向に擦るようになる形状を摩擦領域として採用することも可能である。
【００３９】
また、摩擦領域の大きさは、芳香光記録媒体の使用目的や、レーベルのデザインや、摩擦領域に存在する非破壊マイクロカプセルの量や、香料の種類によって任意の大きさにすることが可能であるが、あまりにも小さくしてしまうと、一つの摩擦領域を擦っただけでは十分な香りが発生されない場合も考えられる。また、レーベルを擦って再び香りを発生させようとする際は、一つの摩擦領域のみを擦るようにしたほうが、何処を擦ったのかということを認識しやすくすることが可能になるため、一つの摩擦領域の大きさは、その摩擦領域を擦るだけで十分な香りを発生することができる大きさであることが好ましく、例えば、摩擦領域に円形を採用する場合では、その直径が２ｃｍ以上であることが好ましい。また、摩擦領域の数は、レーベルに少なくとも１つ存在すればよく、芳香光記録媒体の使用目的や、レーベルのデザインや、摩擦領域に存在する非破壊マイクロカプセルの量や、香料の種類によって任意の数を選択することが可能である。例えば、香料が香りを長時間発散することが可能なものであり、一つの摩擦領域内に多くの非破壊マイクロカプセルが存在する場合であれば、設ける摩擦領域の数は少なくてもよいし、また、逆に香料が香りを長時間発散することが出来ないものであり、一つの摩擦領域内には少量の非破壊マイクロカプセルしか存在しない場合であれば、設ける摩擦領域の数を多くする必要がある。なお、レーベルの全ての部分を摩擦領域とし、摩擦領域の背景を形成しないようにすることも可能であり、例えば、任意の形状の摩擦領域を複数個使用して、レーベルの全ての部分を摩擦領域することも可能である。
【００４０】
また、摩擦領域が、認識情報を有するようにすれば、それまでに擦った摩擦領域がどれであるのかをすぐに認識することが可能になる。ここで、認識情報とは、例えば、数字や、記号や、摩擦領域の色や、摩擦領域の形状や、摩擦領域の絵柄等、それまでに擦った摩擦領域が何であるのかを認識することが可能なものであれば、全てが認識情報に該当する。例えば、前述した例のように、レーベルに円形の摩擦領域を２箇所設け、一つは赤い円、もう一つは青い円とした場合においては、認識情報は、色である。つまり、利用者は、前回は赤い方を擦ったと記憶しておけば、次に擦るのは青い方であるとすぐに認識することが可能になる。また例えば、レーベルに、同じ大きさの円を２つ摩擦領域として設け、一つの円には、「１」を、もう一つの円には「２」という数字をそれぞれ付与した場合においては、認識情報は、数字である。つまり、利用者は、前回は「１」を擦ったと記憶しておけば、次に擦るのは「２」であるとすぐに認識することが可能になる。また、例えば、レーベルに「晴れ」、「曇り」、「雨」、「雪」という天気を現す絵柄のそれぞれを摩擦領域として設けた場合は、認識情報は、摩擦領域の絵柄である。つまり、利用者は、前回は「晴れ」を擦ったと記憶しておけば、次に擦るのは、「曇り」であるとすぐに認識することが可能になる。なお、それまでに擦った摩擦領域の認識情報を記録することが可能なように、収納体に認識情報を記録することができる認識情報記録部を設けておくのが好ましいが、これに限定する必要は無い。
【００４１】
また、摩擦領域は、任意の方法で設けることが可能である。例えば、摩擦領域を形成するインキにマイクロカプセルを含ませ、摩擦領域形成時にスキージーの圧力を調整し、マイクロカプセルを破壊しないようにして形成することも可能であるし、また例えば、マイクロカプセルを含まないインキによって摩擦領域を示す絵柄や図形などを形成した後、香料を有するマイクロカプセルを含ませた透明なインキによって、形成された絵柄や図形等に透明なインキが重なるように設けて摩擦領域を形成することも可能である。なお、これらに限定する必要は無く、摩擦領域は、形成するレーベルのデザインに応じて任意の方法を採用して設けることが可能である。なお、摩擦領域には、非破壊マイクロカプセル以外に、破壊マイクロカプセルが存在してもよい。
【００４２】
また、本願発明の請求項４によれば、前記摩擦領域が、前記中心孔から放射状に区分され、かつ、その中心角が９０度以下の略扇状であるため、円周方向に擦ることを防ぐと同時に、直径方向に擦るように示唆することがより可能になる。
【００４３】
ここで、中心孔から放射状に区分された領域とは、中心孔の略中心から外周の任意の点を結ぶ半径を２本引くことによって区分された領域のうち、中心孔と再生時に再生機によって保持されるクランプゾーンを除いた略扇状の領域である。また中心角とは、前期略扇状の領域を形成する際に引かれる２本の半径が、光記録媒体の中心で交わる際の角度であり、略扇状の領域を形成した場合で説明すれば、形成された略扇状の領域を構成する右側の境界線を光記録媒体の中心まで延長してできる線分と、左側の境界線を光記録媒体の中心まで延長してできる線分とによって形成される角度である。本願請求項４記載の発明によれば、この領域の中心角が９０度以下であるため、円周方向に擦ることを防ぐと同時に直径方向に擦るように示唆することがより可能になる。なお、中心角は、９０度以下であれば、芳香光記録媒体の使用目的や、レーベルのデザインや、摩擦領域に存在する非破壊マイクロカプセルの量や、香料の種類によって任意の角度にすることが可能であるが、中心角が小さければ小さいほど、円周方向に擦ることを防ぐことが可能になる。よって中心角は、１５度以上７０度以下にすることが好ましく、更には、３０度以上６０度以下にすることが好ましい。なお、中心角を０度にして、２本引かれた半径を一致させて、摩擦領域を一本の直線状にすることも可能であるが、この場合は、十分な香りを発生することが可能になるように、直線の太さを、０．９ｃｍ以上にすることが好ましい。なお、中心角が小さくなればなるほど、非破壊マイクロカプセルの量を増やした方がよい。
【００４４】
なお、本願請求項４記載の摩擦領域をレーベルに複数設けることも可能であるし、レーベル全体に設ける事も可能である。本願請求項４記載の摩擦領域をレーベル全体に設ければ、直径方向に擦るように示唆することがより可能になるとともに、より効率よく香りを持続することが可能になる。すなわち、本願請求項３記載の発明に包含される形態である、摩擦領域を任意の形状にした場合では、摩擦領域を有する為、擦った箇所を認識することが可能になるが、摩擦領域は、任意の形状であるため、摩擦領域の背景がレーベルに形成されるようになり、レーベル全面を効率よく擦るのが困難である場合がある。例えば、レーベルに円形の摩擦領域を２つ形成し、摩擦領域の背景も非破壊マイクロカプセルを有する場合では、２つの摩擦領域を擦った後は、背景を擦って香りを発生することが可能になる。しかし、このとき、背景の面積が大きいために、背景の一部を擦り、残りを次に使用する際に擦ろうとしても、背景の何処を擦ったかがわからなくなってしまう場合が考えられる。つまり、非破壊マイクロカプセルが存在する部分が残っていても、そこが何処だかわからない為、擦ることが出来なくなってしまう場合が考えられる。なお、本願請求項３記載の発明において、複数の摩擦領域でレーベル全面が摩擦領域になるようにすれば、レーベル全面を効率よく擦ることが可能になるが、今度は、円周方向に擦ることを防ぐことが出来なくなってしまう場合が考えられる。本願請求項４記載の発明では、略扇状の摩擦領域をレーベル全面に形成することによって、摩擦領域の背景が形成されることが無いため、直径方向に擦るように示唆することがより可能になると共に、より効率よく香りを持続することが可能になる。なお、本願請求項４記載の摩擦領域を複数使用してレーベル全面を摩擦領域とした場合は、例えば、それぞれの摩擦領域の中心角を同じにすることも可能であるし、また逆にそれぞれの摩擦領域の中心角を異なるようにすることも可能であり、中心角は任意の角度にすることが可能である。また、レーベルや、収納体等に擦る際は、直径方向に擦ることを指示する注意書きや、擦る方向を示唆する矢印等を設けるようにすると、より円周方向に擦ることを防ぐことが可能になると同時に、直径方向に擦るように示唆することが可能になるため好ましい。
【００４５】
また、本願請求項５記載の発明によれば、光記録媒体がレンズクリーナーであるため、ピックアップレンズに着いた埃や汚れ等を除去する時間を有効に活用することが可能になり、更に、除去中のストレスを解消することが可能になる。つまり、ピックアップレンズに着いた埃や汚れ等を除去するレンズクリーナーが誇りや汚れ等を除去する時間は、大体２分間程度である。このとき、再生機をすぐに使用したくないときは２分という時間はそれほど長く感じないが、すぐに再生したい光記録媒体があるにもかかわらず、ピックアップレンズに着いた埃や汚れ等を除去しなければならないときでは、２分という時間が非常に長く感じ、ストレスを感じてしまうという問題を有していた。しかし、本願請求項５記載の発明では、光記録媒体がレンズクリーナーである為、レンズクリーナーを使用する前に香りを提供することが可能になり、「待たなければならない」ということによって生じたストレスを解消することが可能になる。また、近年では、レンズクリーナーの情報記憶領域には、音楽や映像等が記憶されており、音楽や映像等を見ている間にピックアップレンズに着いた埃や汚れを除去することによって、除去する時間を短く感じさせる工夫がなされている。本願請求項５記載の発明では、情報記憶領域に記憶された音楽や映像に加えて香りも提供することが可能になるため、より除去する時間を短く感じさせることが可能になる。
【００４６】
更に、一般的に、埃や汚れを除去する、つまり、掃除をするという行為は、それほど好んで行われることではなく、光記録媒体の再生に不具合が生じたときに初めて行われるものであるため、光記録媒体の再生に不具合が生じていないときにレンズクリーナーを使用することに抵抗を感じてしまい、不具合が生じるまで埃や汚れを放置してしまうという問題があった。しかし、本願請求項５記載の発明では、光記録媒体がレンズクリーナーであるため、もう一度香りを嗅ぎたいと感じることによって、レンズクリーナーを抵抗無く使用することが可能になり、不具合が生じるまで埃や汚れを放置してしまうという問題を解決することが可能である。
【００４７】
すなわち、香りというものは、人間の記憶に働きかけて、香りを記憶させることが可能である。よって、本願請求項５記載の発明では、光記録媒体がレンズクリーナーである為、レーベルに存在するマイクロカプセルが有する香料から発生する香りを記憶させることが可能になり、あの香りをもう一度嗅ぎたいと感じることによって、抵抗なくレンズクリーナーを使用することが可能になる。その結果、不具合が生じるまで埃や汚れを放置してしまうという問題を解決することが可能になる。
【００４８】
また、本願発明の請求項６によれば、情報記憶領域に設けられた情報と、香料が発生する香りとが同一の概念を駆動するため、情報記憶領域に設けられた情報が有する精神的な症状を改善する効果と、香りが持つ精神的な症状を改善する効果とをより相乗することが可能になる。
【００４９】
ここで、情報記憶媒体に設けられた情報と、香料が発生する香りとが同一の概念を駆動するとは、情報記録媒体に設けられた情報と、香料が発生する香りが、同じ対象に基づいているということである。例えば、情報記憶領域に設けられた情報が森の中で聞こえる鳥のさえずり等であれば、香料が発生する香りは、草木の香りにして、森という同じ対象に基づいた音と香りを提供することによって、聴覚からの刺激と臭覚からの刺激であたかも森の中にいるように感じることが可能になり、それぞれが持つ精神的な症状を改善する効果とがより相乗されてより良い状態になることが可能になる。また、例えば、情報記憶領域に設けられた情報が海の画像であれば、香料が発生する香りは、潮の香りにして、海という同じ対象に基づいた画像と香りを提供することによって、視覚からの刺激と臭覚からの刺激であたかも海を眺めているように感じることが可能になり、それぞれが持つ精神的な症状を改善する効果とがより相乗されてより良い状態になることが可能になる。更に例えば、情報記憶領域に設けられた情報がある歌手の歌であれば、香料が発生する香りは、その歌手がつけている香水にして、その歌手という同じ対象に基づいた音楽と香りを提供することによって、あたかもその歌手が自分の近くで歌っているように感じることが可能になり、それぞれが持つ精神的な症状を改善する効果とがより相乗されてより良い状態になることが可能になる。なお、対象は、これらに限定する必要は無く、任意の対象を採用することが可能である。また、同じ対象に基づいていると連想することが可能であれば、情報記憶領域が有する情報や、香料が有する香りは任意のものを採用することが可能である。例えば、前述した例であれば、森という対象を連想することが可能であれば、香料が発生する香りを、草木の香りに限定する必要は無く、例えば土の香りや花の香り等にしてもよい。なお、本願請求項６記載の発明において、光記録媒体のレーベルが駆動する概念も、情報記憶領域に設けられた情報と、香料が発生する香りとが駆動する概念と同じ概念を駆動するようにすれば、香りが有する精神的な症状を改善する効果と、レーベルに形成された絵や文字や画像等が有する精神的な症状を改善する効果と、情報記憶領域に設けられた情報が有する精神的な症状を改善する効果とを相乗することが可能になるため好ましい。例えば、情報記憶領域に設けられた情報が森の中で聞こえる鳥のさえずり等であり、香料が発生する香りが草木の香りであれば、レーベルを森の画像にし、同一の概念を駆動するようにすることによって、香りが有する精神的な症状を改善する効果と、レーベルに形成された絵や文字や画像等が有する精神的な症状を改善する効果と、情報記憶領域に設けられた情報が有する精神的な症状を改善する効果とを相乗することが可能になり、より良い状態にすることが可能になる。
【００５０】
また、本願請求項７記載の発明によれば、芳香光記録媒体が冊子体に添付されているため、芳香物品を添付しなくても香りを発する香料を添付することが可能になる。よって、製造コストを抑えて香りと光記録媒体を冊子体に添付することが可能になる。
【００５１】
また、光記録媒体と香りの両方が冊子体に添付されているため、香りが持つ精神的な症状を改善する効果と、情報記憶領域に設けられた情報が持つ精神的な症状を改善する効果と、冊子体の内容が持つ精神的な症状を改善する効果とを相乗させることが可能になり、精神的な症状をより改善することが可能になり、より良い状態にすることを可能が可能である。
【００５２】
なお、芳香光記録媒体を冊子体に添付する場合は、冊子体の任意の箇所に、任意のやり方を採用して添付することが可能であるが、冊子体の中央よりも前に添付することが好ましく、更に好ましくは、表表紙に添付することが好ましい。すなわち、芳香光記録媒体を冊子体のうち、中央よりも前に添付することによって、利用者が気づきやすくなるため、より芳香光記録媒体に興味を惹きつけることが可能になり、その結果、香りが漂う中で冊子体を読むように仕向けることが可能になり、香りが持つ精神的な症状を改善する効果と、情報記憶領域に設けられた情報が持つ精神的な症状を改善する効果と、冊子体の内容が持つ精神的な症状を改善する効果とを相乗させることがより可能になる。例えば、本願発明の芳香光記録媒体を、冊子体の裏表紙の表等に添付した場合では、利用者が冊子体を最後まで読んで初めて芳香光記録媒体に気づくようになったため、芳香光記録媒体を開封しなかったり、開封しても香りや情報記憶領域に設けられた情報に対する興味が薄れてしまい、精神的な症状を改善することが出来なくなってしまう場合が考えられる。よって、芳香光記録媒体は、冊子体のうち、中央よりも前、更に好ましくは、表表紙に添付することによって、利用者が気づきやすくなり、より芳香光記録媒体に興味をひきつけることが可能になるため、香りに対する興味を保ったまま開封することが可能になり、精神的な症状を改善することが可能になる。なお、冊子体の中央とは、冊子体の略真ん中であり、例えば、中綴じで製本された冊子体では、折り返された針金が存在する見開き頁のことである。
【００５３】
なお、中央よりも前に添付する場合は、中央よりも前であれば、任意の場所に添付することが可能であり、例えば、冊子体の中央と表紙との間の頁に添付することも可能であるし、更には、冊子体の中央に添付することも可能である。例えば、中綴じの場合では、冊子体の中央に添付した方が、光記録媒体を安定して添付することが可能になる場合がある。よって、芳香光記録媒体を中央に添付することも可能である。また、表表紙に芳香光記録媒体を添付する場合は、表表紙の表、又は、表表紙の裏、又は、表表紙の中等任意の場所に、任意のやり方を採用して添付することが可能であるが、芳香光記録媒体が添付されていることがわかるように添付したほうが、より興味を惹き付けることが可能になるため好ましい。例えば、表表紙の表紙から少なくとも芳香光記録媒体が見えるように添付すれば、本を閉じた状態でも、芳香光記録媒体の存在を確認することが可能である為、より興味を惹き付けることが可能になる。また、例えば、表表紙の裏から、少なくとも芳香光記録媒体が見えるように添付すれば、表紙を開いた瞬間に芳香光記録媒体の存在を確認することが可能になるため、より興味を惹き付けることが可能になる。更に、芳香光記録媒体が見えると同時に光記録媒体も見えるように添付すれば、より興味を惹き付けることが可能になり、その結果、すぐに芳香光記録媒体を開封するように誘導することが可能になり、香りによる精神的な症状をより改善することが可能になるため好ましい。なお、これらに限定する必要は無く、芳香光記録媒体は任意の箇所に、任意のやり方を採用して添付することが可能である。
【００５４】
また、本願発明の請求項８によれば、情報記憶領域に設けられた情報と、香料が発生する香りと、冊子体に掲載された内容とが同一の概念を駆動するため、情報記憶領域に設けられた情報が有する精神的な症状を改善する効果と、香りが持つ精神的な症状を改善する効果と、冊子体に掲載された内容が有する精神的な症状改善する効果とをより相乗することが可能になる。
【００５５】
ここで、情報記憶媒体に設けられた情報と、香料が発生する香りとが同一の概念を駆動するとは、情報記録媒体に設けられた情報と、香料が発生する香りが、同じ対象に基づいているということである。例えば、情報記憶領域に設けられた情報が森の中で聞こえる鳥のさえずり等であり、香料が発生する香りが草木の香りであれば、冊子体に掲載される内容は、森の中にいる鳥等が登場する物語にして、森という同じ対象に基づいた音と香りと物語を提供することによって、聴覚からの刺激と臭覚からの刺激と視覚からの刺激であたかも物語の主人公になって森の中にいるように感じることが可能になり、それぞれが持つ精神的な症状を改善する効果とがより相乗されてより良い状態になることが可能になる。また、例えば、情報記憶領域に設けられた情報が海の画像であり、香料が発生する香りが潮の香りであれば、冊子体に掲載される内容は、光記録媒体の情報記憶領域に設けられた海の画像の説明にして、海という同じ対象に基づいた画像と香りと説明を提供することによって、視覚からの刺激と臭覚からの刺激であたかも海を眺めているように感じることが可能になり、それぞれが持つ精神的な症状を改善する効果とがより相乗されてより良い状態になることが可能になる。更に例えば、情報記憶領域に設けられた情報がある歌手の歌であり、香料が発生する香りがその歌手がつけている香水であれば、冊子体に掲載される内容は、その歌手が歌っている状態の写真にして、その歌手という同じ対象に基づいた音楽と香りと写真を提供することによって、あたかもその歌手が自分の近くで歌っているように感じることが可能になり、それぞれが持つ精神的な症状を改善する効果とがより相乗されてより良い状態になることが可能になる。なお、対象は、これらに限定する必要は無く、任意の対象を採用することが可能である。また、同じ対象に基づいていると連想することが可能であれば、情報記憶領域が有する情報や、香料が有する香りや、冊子体の内容は任意のものを採用することが可能である。例えば、前述した例であれば、森という対象を連想することが可能であれば、香料が発生する香りを、草木の香りに限定する必要は無く、例えば土の香りや花の香り等にしてもよいし、冊子体の内容を、森の中にいる鳥等が登場する物語に限定する必要は無く、例えば、森にいる鳥や花の写真にしてもよい。なお、本願請求項６記載の発明において、光記録媒体のレーベルが駆動する概念も、情報記憶領域に設けられた情報と、香料が発生する香りと、冊子体の内容が駆動する概念と同じ概念を駆動するようにすれば、香りが有する精神的な症状を改善する効果と、レーベルに形成された絵や文字や画像等が有する精神的な症状を改善する効果と、情報記憶領域に設けられた情報が有する精神的な症状を改善する効果と、冊子体の内容が有する精神的な症状を改善する効果を相乗することが可能になるため好ましい。例えば、情報記憶領域に設けられた情報が森の中で聞こえる鳥のさえずり等であり、香料が発生する香りが草木の香りであり、冊子体の内容が森の中にいる鳥等が登場する物語であれば、レーベルを森の画像にし、同一の概念を駆動するようにすることによって、香りが有する精神的な症状を改善する効果と、レーベルに形成された絵や文字や画像等が有する精神的な症状を改善する効果と、情報記憶領域に設けられた情報が有する精神的な症状を改善する効果と、冊子体の内容が有する精神的な症状を改善する効果を相乗することが可能になり、より良い状態にすることが可能になる。
【発明を実施するための最良の形態】
【００５６】
以下、本願発明を図面に基づき詳細に説明する。
【００５７】
図１は、本願発明における芳香光記録媒体の正面図である。なお、図1において、光記録媒体は、収納体である略透明なビニール袋によって密封されており、密封された状態で光記録媒体の存在を確認することが可能であるため、光記録媒体を実践で示している。
図１において、１は芳香光記録媒体、２は収納体、３は光記録媒体、４は収納体の表面、５は収納体の裏面、６は封止部、７は収納口、８は基板、９は中心孔、１０はレーベルである。
【００５８】
図１において、芳香光記録媒体１は、収納体２と光記録媒体３によって構成されている。収納体２は、略透明なビニール袋よりなり、その縦の長さと横の長さが略１４ｃｍの正方形の表面４と、その縦の長さと横の長さが略１４ｃｍの正方形と、前記正方形の一辺に連接し、折り返すことによって封止することが可能になる封止部６とを有する裏面により構成されている。また表面４と裏面５は、封止部６が連接している辺以外の３辺を接着剤によって剥離することがない様に密着しており、袋状を形成している。また、接着剤によって密着されていない１辺は、収納口７を形成しており、光記録媒体３の出し入れを可能にしている。また、封止部６には、剥離可能な接着剤が塗布されており、光記録媒体３を収納体２に収納した後は、封止部６を表面４側に折り返して表面４と貼着することによって、光記録媒体３を密封することを可能にしている。また、図示しないが、接着剤によって密着されている３辺において、接着剤が塗布される糊代は略４ｍｍであるため、収納体２の容積は光記録媒体３がちょうど収納できる大きさに形成されている。よって、開封時には、濃い香りを提供することが可能である。
【００５９】
なお、本実施の形態では、収納体２には、ビニール袋を採用したが、これに限定する必要は無く、収納体２には、光記録媒体３を密閉することが可能であれば、任意のものを採用することが可能である。例えば、プラスチックケースでも良いし、更に例えば、布の袋で光記録媒体３を包んだ後、ビニール袋によってその外側を包んで密封するというように、布の袋とビニール袋とで収納体２を構成することも可能である。また、収納体２は、一度光記録媒体３を取り出した後も再び使用することが可能になるように、剥離可能な封止部や、蓋部を有することが好ましいが、これに限定するわけではない。また、本実施の形態では、収納体２には、光記録媒体３のみが密封されているが、これに限定する必要は無く、例えば、光記録媒体３の使用方法を記載した説明書や、記憶されている情報に関する文章が記載された冊子体等の他の物品を、光記録媒体と一緒に密封することも可能である。なお、光記録媒体と他の物品を一緒にして収納体によって密封する場合は、光記録媒体のレーベルに存在する破壊マイクロカプセル内の香料が発する香りの妨げにならないよう、他の物品は無臭、若しくは、破壊マイクロカプセルと非破壊マイクロカプセルが有する香料と同じ香りを有することが好ましい。
【００６０】
光記録媒体３は、その直径が１２ｃｍであるＤＶＤであり、基板８と、前記基板８に設けられた情報記憶領域と、前記基板８中央に設けられた中心孔９と、前記情報記憶領域に設けられた情報を読み取る際に、レーザー光が入射する入射面と、前記入射面と対向する面に設けられたレーベル１０とを有している。なお、本実施の形態では、光記録媒体３はＤＶＤを採用したが、光記録媒体３には、レーザー光の照射によって、記録・再生を行うことができるものであれば、任意のものを採用することが可能であり、例えば、音楽ＣＤやＣＤ−Ｒ等であってもよいし、また例えば、読取面に小さなブラシを着け、再生機のピックアップレンズについた埃等を除去するレンズクリーナーであってもよい。  
【００６１】
また、本実施の形態では、光記録媒体３は、レーベル１０を形成後１２時間以内に収納体２によって密封されている。なお、レーベル１０が形成された後であれば、任意のタイミングで光記録媒体３を密封することが可能である。例えば、レーベル１０を形成する工程の次の工程で光記録媒体３を密封してしまうようにすることも可能である。なお、レーベル１０を形成した後は、検品等の工程になることが多い為、レーベル１０を形成してから２４時間以内に収納体３によって密封することが好ましく、更には、１２時間以内がより好ましい。結局、基板と、前記基板に設けられた情報記録領域と、前記基板中央に設けられた中心孔と、前記情報記憶領域に設けられた情報を読み取る際に、レーザー光が入射する面と対向する面に設けられたレーベルと、前記レーベルに存在し、レーベル形成時にスキージーにより破壊した破壊マイクロカプセルと、前記レーベルに存在し、レーベル形成時にスキージーにより破壊されない非破壊マイクロカプセルと、前記破壊マイクロカプセル、及び、非破壊マイクロカプセル内に存在する香料と、を有する光記録媒体と、前記光記録媒体を密封する収納体と、を有し、前記レーベルを形成した後に、光記録媒体を前記収納体によって密封したことを特徴とする芳香光記録媒体の製造方法では、光記録媒体や冊子体に香りを添付する場合に、芳香物品を使用しなくても香りを添付することが可能であり、かつ、光記録媒体や冊子体に香りを添付した場合に、香りが持つ精神的な症状を改善する効果と、光記録媒体や冊子体が持つ精神的な症状を改善する効果とを相乗することが可能な芳香光記録媒体、及びそれを添付した冊子体を提供することが可能になる。
【００６２】
図２は、図１の光記録媒体のみの、線分Ａ−Ａによる断面図であり、図２（Ａ）は断面全体、図２（Ｂ）は図２（Ａ）の断面図を拡大したものである。図２において、図１と同じ番号を付したものは同じものである。また、１１は上基板、１２は下基板、１３は基板の直径、１４は中心孔の直径、１５は光記録媒体の中心、１６は情報記憶領域、１７はレーザー光、１８は入射面、１９はクランプゾーン、２０は情報記憶領域１６の厚み、２１はクランプゾーン１９の厚み、２２はインキ層、２３は透明インキ層、２４は破壊マイクロカプセル、２５は非破壊マイクロカプセル、２６は香料、２７はリブである。
【００６３】
図２において、基板８は、上基板１１と下基板１２によって構成されている。また、上基板１１と下基板１２は、ポリカーボネート等の透明樹脂からなる直径１２ｃｍの円盤状の板であり、その中心１５にその直径が１．５ｃｍである中心孔９を有している。また、本実施の形態では、上基板１１と下基板１２の間に情報記憶領域１６が設けられており、北海道のラベンダー畑を映した映像情報と、そのときの周辺の音情報とが記憶されている。なお、上基板１１と下基板１２は、図示されていない接着層によって接着され、光記録媒体３を構成している。また、入射面１８は、情報記憶領域１６に記憶されている情報を読み取る際に、レーザー光１７が照射される面であり、本実施の形態では、下基板１２のうち、上基板１１とは接着されない面が入射面１８である。なお、本実施の形態では、情報記憶領域に記憶された情報は、北海道のラベンダー畑を映した映像情報と、そのときの周辺の音情報であるが、これに限定する必要は無く、芳香光記録媒体の使用目的に応じて任意のものを採用することが可能である。
【００６４】
レーベル１０は、入射面１８とは対向する面に設けられ、本実施の形態では、上基板１２のうち、下基板１１とは接着されない面に形成されている。なお、レーベル１０は、上基板１２の外側の再生時に再生機によって保持されるクランプゾーン１９以外の領域に設けなければ、クランプゾーン１９が平坦ではなくなり光記録媒体３の再生が困難になってしまうため、クランプゾーン１９以外の領域に設ける必要がある。具体的には、クランプゾーン１９が光記録媒体３の中心１５から半径１２．５ｍｍ以下の領域に設けられるため、レーベル１０は光記録媒体３の中心１５から半径１２．５ｍｍより大きく、６０ｍｍ以下に囲まれた領域（以下、「レーベル領域」と称す）に設けることが可能である。なお、本実施の形態では、光記録媒体３は、上基板１１と下基板１２の２枚の基板を使用して構成されており、情報記憶領域１６の厚み２０とクランプゾーン１９の厚み２１は、共に１．２ｍｍであるが、これに限定する必要は無く、例えば、基板を１枚だけ使用して、情報記憶領域１６の厚み２０とクランプゾーン１９の厚み２１が０．６ｍｍである光記録媒体３を採用することも可能である。なお、このように基板を1枚だけ使用した光記録媒体３を採用する場合も、レーベル１０は、入射面１８とは対向する面のクランプゾーン１９以外の領域に設けることが可能である。本実施の形態では、レーベル１０は、レーベル領域全体に設けられており、概念駆動型可視情報を有するインキ層２２と、透明インキ層２３によって構成されている。インキ層２２は、概念駆動型可視情報である、文字、記号、図形、若しくはこれらの組み合わせがインキ皮膜として設けられた層であり、レーベル領域全体に設けられている。なお、本実施の形態では、インキ層２２と透明インキ層２３は、紫外線硬化型樹脂を採用しており、インキ層２２を形成するインキと、透明インキ層２３を形成する透明インキは共にスクリーン印刷方式によって塗布されている。また、本実施の形態では、日本文化精工（株）のＣＤＬ−Ｔ４２２Ｓによってレーベルを形成した。
【００６５】
透明インキ層２３は、インキ層２２の上にレーベル領域全体にベタ塗りで設けられており、レーベル形成時にスキージーによって破壊された破壊マイクロカプセル２４と非破壊マイクロカプセル２５とを有している。ここで、破壊マイクロカプセル２４と非破壊マイクロカプセル２５は、香料２６が内在するマイクロカプセルを有するインキをスクリーン印刷方式によって塗布することによって形成される。つまり、香料２６が内在しているマイクロカプセルを有するインキを、スクリーン印刷方式によって塗布する際には、スキージーが版を押すため、マイクロカプセルに圧力がかかるようになる。そして、かかった圧力によって破壊されたマイクロカプセルが破壊マイクロカプセル２４であり、かかった圧力では破壊されなかったマイクロカプセルが非破壊マイクロカプセル２５である。
【００６６】
本実施の形態においても、破壊マイクロカプセル２４と、非破壊マイクロカプセル２５は、顔料を含まない略透明な紫外線硬化型樹脂に、香料２６を有するマイクロカプセルを混ぜた透明インキを、スクリーン印刷機によってレーベル領域に塗布する際に、スキージーが版を押す圧力によってマイクロカプセルに圧力をかけて、破壊マイクロカプセル２４と非破壊マイクロカプセル２５とを形成している。つまり、香料２６を有するマイクロカプセルが含まれているインキを、スクリーン印刷機によってレーベル領域に塗布する際に、スキージーの圧力によって破壊されたマイクロカプセルが破壊マイクロカプセル２４であり、スキージーの圧力によって破壊されなかったマイクロカプセルが非破壊マイクロカプセル２５である。なお、破壊マイクロカプセルと非破壊マイクロカプセルの量は、後述するように、スキージーが版を押す圧力を調整することによって調整することが可能であり、スキージーがそれほど版を押さなければ、破壊マイクロカプセル２４の量を減らし、非破壊マイクロカプセルの量２５を増やすことが可能になるし、逆に、スキージーが強く版を押せば、破壊マイクロカプセル２４の量を増やし、逆に、非破壊マイクロカプセル２５の量を減らすことが可能になる。
【００６７】
なお、透明インキ層２３を形成する透明インキの製法は、公知の製法を採用することが可能である。本実施の形態では、略透明な紫外線硬化型樹脂にマイクロカプセルを略３０％混ぜたものを採用しているがこれに限定する必要は無い。透明インキは、マイクロカプセルを有し、かつ、レーベル１０を形成した際に、インキ層２２が有する概念駆動型可視情報を、透明インキ層２３によって変化させないものであればよく、任意の製法を採用して製造することが可能であり、混ぜるマイクロカプセルの量も任意に定めることが可能である。
【００６８】
また、透明インキ層２３に含まれるマイクロカプセルには、内部に香料を内在することが可能であれば、マイクロカプセルの素材、製法は公知のものを採用することが可能である。本実施の形態では、香料２６を、ゼラチン溶液中もしくはニトロセルロース溶液等に予め乳化してからコアセルベーションを起こして形成したマイクロカプセルを採用しているがこれに限定する必要は無く、公知の素材、公知の製法によって形成されたマイクロカプセルを採用することが可能である。また、本実施の形態では、マイクロカプセルに内在する香料２６は、ラベンダーの香りを採用しているが、これに限定することなく、公知のものを採用することが可能であり、例えば、天然香料や合成香料を採用することが可能である。天然香料であれば、例えば、ローズやバニラ等の香りのような植物性香料や、また、例えばムスクやシベット等のような動物性香料がある。また、合成香料では、例えば、オイゲノール、シトラール等がある。なお、これらに限定する必要は無く、任意の香料を採用することが可能である。しかし、本願発明の芳香光記録媒体は１、香りによって精神的な症状を改善することを目的としている為、例えば、アンモニア臭や生ごみの匂い等のように悪臭を発生するような香料２６を採用することは好ましくない。また、光記録媒体３の情報記憶領域１６に悪影響を与えてしまう香料２６も採用しないほうがよい。
【００６９】
なお、本実施の形態では、光記録媒体の情報記憶領域に記憶されている情報が北海道のラベンダー畑を映した映像情報と、そのときの周辺の音情報であり、レーベルが有する破壊マイクロカプセル内に存在する香料が発散する香りがラベンダーの香りである為、視覚からの刺激と、聴覚からの刺激と、臭覚からの刺激によって、それぞれが有する精神的な症状を改善する効果を相乗することが可能になり、より良い状態にすることが可能になる。
【００７０】
ここで、本願発明において、破壊マイクロカプセルが有する香料と、非破壊マイクロカプセルが有する香料は、同じものである。なお、同じ香料であれば、破壊マイクロカプセルが有する香料と、非破壊マイクロカプセルが有する香料の量は違っていてもよい。例えば、破壊マイクロカプセルが存在するインキと、非破壊マイクロカプセルが存在するインキを異なるようにした場合において、破壊マイクロカプセルが有する香料の量よりも、非破壊マイクロカプセルが有する香料の量を多くしておくことも可能である。破壊マイクロカプセルが有する香料の量よりも、非破壊マイクロカプセルが有する香料の量を多くすることによって、再び香りを発生させるために非破壊マイクロカプセルを破壊したときに、収納体によって密封されていた為集積された濃い香りと同じくらいの濃い香りを提供することが可能になる。ただし、これに限定する必要は無い。
【００７１】
なお、本実施の形態では、概念駆動型可視情報を有するインキ層と、破壊マイクロカプセルと非破壊マイクロカプセルを有する透明インキ層によってレーベルを形成したが、レーベルの形成のやり方はこれに限定する必要は無く、例えば、透明インキ層を設けずに、概念駆動型可視情報を有するインキ層を構成する少なくとも一色が破壊マイクロカプセルと非破壊マイクロカプセルを有するようにすることも可能であるし、また例えば、概念駆動型可視情報を構成する色が少なくとも２色ある場合は、一色が破壊マイクロカプセルを有し、もう一色が非破壊マイクロカプセルを有するようにすることも可能である。
【００７２】
図３は、スキージーが版を押す圧力と、形成される破壊マイクロカプセルの量の関係を示す図である。
図３において、３１は破壊マイクロカプセルの割合を示す縦軸、３２はスキージーが版を押す圧力を示す、圧着エアーのメモリ、３３は圧着エアーのメモリの変化とその際の破壊マイクロカプセルの割合示す対応曲線である。
【００７３】
図３において、縦軸３１は破壊マイクロカプセルの割合を表しており、具体的には、香りがどれくらい香っているかによって割合を特定している。したがって、縦軸３１において「多」とは、ほとんどのマイクロカプセルが破壊され、香りが強く香っていることを意味し、逆に、「少」とは、マイクロカプセルがほとんど破壊されず、香りがほとんどしないことを意味している。横軸３２は、印刷機に具備されている、スキージーが版を押す圧力がどれくらいかを示す圧着エアーのメモリであり、その単位は、ＭＰａ（メガパスカル）である。また、数字が高くなればなるほど、スキージーが版を押す圧力が高くなることを意味している。対応曲線３３は、圧着エアーのメモリが増加するにつれて増加することを示しており、圧着エアーのメモリが０．２ＭＰａを過ぎるあたりから一斉にマイクロカプセルが破壊し始め香りが香るようになり、圧着エアーのメモリが０．５ＭＰａでは、ほとんどのマイクロカプセルが破壊され強い香りが生じることを示している。したがって、破壊マイクロカプセルを形成するには、圧着エアーのメモリを０．２ＭＰａ以上に設定して印刷することが好ましく、又、非破壊マイクロカプセルを形成するには、圧着エアーのメモリを０．５ＭＰａ以下に設定して印刷することが好ましいことを示しており、破壊マイクロカプセルと非破壊マイクロカプセルの両方を安定して確保するには、圧着エアーのメモリを０．２５ＭＰａ以上０．４５ＭＰａ以下、更に好ましくは、０．３ＭＰａ以上０．４ＭＰａ以下に設定して印刷を行うのが良い。なお、本実施の形態では、圧着エアーのメモリは０．３５ＭＰａになるように設定して印刷を行い、レーベル形成後は、ほのかに香る光記録媒体を得た。また、本実施の形態で使用したスキージーは、ウレタン系合成ゴムよりなり、その硬さが８０度で、大きさは縦が３０ｍｍ、横が１５０ｍｍ、幅が６ｍｍのものを使用した。また、スキージーを移動させる早さは１秒であり、版は、３５０メッシュのものを使用した。また、使用した印刷機は、日本文化精工（株）のＣＤＬ−Ｔ４２２Ｓであり、スキージーのエッジが版と接触して印刷するものであった。また、インキ層も、同様の印刷機、スキージー、版を使用し、圧着エアーのメモリを０．３５ＭＰａに設定して形成した。
【００７４】
ここで、本願発明の芳香光記録媒体では、形成されたレーベルには、破壊マイクロカプセルと非破壊マイクロカプセルの両方が存在しなければならないため、例えば、マイクロカプセルが含まれるインキが１色である場合に、圧着エアーのメモリを０．２より小さくして非破壊マイクロカプセルのみを形成するということは出来ない。なお、形成されたレーベルに、破壊マイクロカプセルと非破壊マイクロカプセルの両方が存在すれば任意のやり方を採用することが可能であり、例えば、マイクロカプセルが含まれるインキを少なくとも２色使用してレーベルを形成する場合では、一色を形成する際の圧着エアーのメモリを０．２より小さくして非破壊マイクロカプセルのみを形成し、もう一色を形成する際の圧着エアーのメモリを０．５より大きくして破壊マイクロカプセルのみを形成するということは可能である。
【００７５】
なお、本実施の形態で採用した印刷機や、スキージーの種類や、スキージースピードや、圧着エアーのメモリや、版等に限定する必要は無く、任意の印刷機や、スキージーの種類や、スキージースピードや、圧着エアーのメモリや、版等を使用することが可能である。例えば、スキージースピードやスキージーの種類等は、印刷機や形成するレーベルに応じて任意のものを採用することが可能であるし、圧着エアーのメモリも印刷機や形成するレーベルや版の種類に応じて任意の値に設定することが可能であるが、あまり圧着エアーのメモリを低く設定してしまうと、インキが版から抜けなくなってしまうため、０．３ＭＰａ以上０．４５ＭＰａ以下であることが好ましい。また版も、レーベルに応じて任意のメッシュを採用することが可能である。例えば、２５０メッシュでも良いし、更には４００メッシュでもよい。ただし、あまりにもメッシュを細かくしてしまうと、インキが版を抜けることが出来なくなってしまう場合が考えられるので、版は、３００メッシュ以上、３５０メッシュ以下が好ましい。
【００７６】
また、本実施の形態では、圧着エアーのメモリを０．３５で透明インキ層を形成した為、破壊マイクロカプセルの割合と非破壊カプセルの割合が略７対３であるがこれに限定する必要は無く、破壊マイクロカプセルと非破壊マイクロカプセルとの割合は、芳香光記録媒体の使用目的や、レーベルのデザインや、摩擦領域に存在する非破壊マイクロカプセルの量や、香料の種類によって任意の割合にすることが可能である。例えば、非破壊マイクロカプセルの量を増やせば香りをより持続することが可能になるため、香料が強い香りを発生するような場合は、破壊マイクロカプセルと非破壊マイクロカプセルの割合を３対７にし、非破壊マイクロカプセルを増やして、香りをより持続するようにすることも可能である。なお、開封時に香りを提供することができ、更に香りを持続することが可能になるように、破壊マイクロカプセルと非破壊マイクロカプセルとの割合は、少なくともどちらかが３割以上、７割以下であることが好ましく、更には、少なくともどちらかが４割以上、6割以下であることが好ましい。例えば、破壊マイクロカプセルと非破壊マイクロカプセルの割合が６対４であれば、開封時により濃い香りを提供することが可能になる。なお、これらに限定することなく、破壊マイクロカプセルと非破壊マイクロカプセルの割合は、芳香光記録媒体の使用目的や、レーベルのデザインや、摩擦領域に存在する非破壊マイクロカプセルの量や、香料の種類に応じて、圧着エアーのメモリを調節することにより任意の割合にすることが可能である。
【００７７】
図４は、図１に示す芳香光記録媒体の光記録媒体のみの正面図である。図１、図２と同じ番号を付したものは同じものである為説明を割愛し、３５は摩擦領域である絵柄摩擦領域、３６は絵柄摩擦領域の背景、３７は認識情報である英字、３８は絵柄摩擦領域の向き、３９は直径方向、４０は円周方向、４１は絵柄摩擦領域に描かれた目、４２は絵柄摩擦領域に描かれた口である。
【００７８】
図４において、レーベル１０には、摩擦領域である絵柄摩擦領域３５が形成されており、レーベル１０を擦る際に何処を擦ったのかが認識できるようになっている。また絵柄摩擦領域３５は、月と星の形をしており、星の形をした絵柄摩擦領域３５が３つ、月の形をした絵柄摩擦領域３５が３つ、合計６つの絵柄摩擦領域３５が、それぞれ交互に均等に形成されている。また、本実施の形態では、インキ層２２と透明インキ層２３でレーベル１０を形成しており、３色のインキによってインキ層２２を形成し、更に、インキ層２２の上に透明インキ層２３が設けられている。また、インキ層２２は、インキ層２２を形成する３色のインキのうち、１色目の色で月の形をした絵柄摩擦領域３５の形を形成し、２番目の色で星の形をした絵柄摩擦領域３５の形を形成し、３番目の色で絵柄摩擦領域３５の背景３６を形成している。また、透明インキ層２３は、インキ層２２の上に、インキ層２２全体を覆うように設けられており、透明インキ層２３に存在する破壊マイクロカプセル２４と非破壊マイクロカプセル２５は、任意に分散して存在している。また、破壊マイクロカプセル２４と非破壊マイクロカプセル２５の比は、７対３である。なお、本実施の形態では、インキ層２２と透明インキ層２３の両方の層で絵柄摩擦領域３５を形成しているが、これに限定する必要は無く、摩擦領域に非破壊マイクロカプセル２５が存在すれば、任意のやり方で形成することが可能である。例えば、摩擦領域の形状を形成するインキにマイクロカプセルを含ませておき、形成時に圧着エアーのメモリを調節して非破壊マイクロカプセル２５を形成するというように、インキ層２２のみで摩擦領域を形成することも可能である。なお、摩擦領域の形状は、月や星の形に限定するわけではなく、擦った場所を認識することが可能であれば、任意の形状を採用することが可能である。
【００７９】
また、絵柄摩擦領域３５は、認識情報である英字３７を有しており、どの絵柄摩擦領域３５を擦ったかをより認識しやすくしている。本実施の形態では、認識情報である英字３７は大文字のアルファベットであり、レーベルに設けられた絵柄摩擦領域３５のうち、一番下の絵柄摩擦領域３５が「Ａ」であり、順に反時計回りに「Ｂ」、「Ｃ」と続き、「Ｆ」まで存在する。本実施の形態のように、摩擦領域が認識情報を有することによって、例えば、「Ａ」と「Ｂ」の絵柄摩擦領域３５を擦ったことを記憶しておけば、次に擦るのは、「Ｃ」の絵柄摩擦領域３５であると一目見るだけで判断することが可能になるため、どの摩擦領域を擦ったかをより認識しやすくすることが可能になる。なお、どの摩擦領域を擦ったかを記録することが可能になるように、例えば、認識情報を記録することが出来る欄等の認識情報記録部を収納体２や、芳香光記録媒体を冊子体に添付する場合であれば、冊子体に設けるとよいがこれに限定するわけではない。また、認識情報記録部を設ける場合は、任意のものに任意のやり方を採用して設けることが可能である。また、本実施の形態では、認識情報は英字を採用したがこれに限定する必要は無く、例えば、絵や記号や数字や絵柄や摩擦領域の色等任意のものを採用することが可能である。なお、認識情報はレーベルを一目見るだけで、どの摩擦領域を擦ったのかを認識できるものであることが好ましく、例えば、複雑な漢字や、略同じような記号等のように、一目見ただけでは、どの摩擦領域を擦ったのか判別できないものは採用しない方がよい。
【００８０】
また、本実施の形態では、絵柄摩擦領域３５は、それぞれに二つの目４１と口４２が描かれており、口４２側が下側になるという向き３８を有しており、この向き３８が直径方向３９と同じ方向、すなわち、光記録媒体３の外周側になるように形成されている。なお、本実施の形態のように、摩擦領域が向きを有する場合は、直径方向３９と同じ方向になるように、すなわち、光記録媒体３の外周側、若しくは、光記録媒体３の中心側に向くように形成した方が、摩擦領域を擦る際に、直径方向３９に擦るように示唆することが可能になり、入射面１８に傷が着くことを防ぐことが可能になる。すなわち、摩擦領域を擦って香りを発生させようとする際に、摩擦領域が向きを有する場合では、利用者が、摩擦領域の向きと同じ方向に擦ろうとすることが考えられるため、摩擦領域の向きが円周方向４０と同じ方向になるように形成してしまうと、摩擦領域を擦る際に、円周方向４０に指を動かして摩擦領域を擦ってしまう場合が考えられる。よって、摩擦領域が向きを有する場合は、その向きが、直径方向３９と同じ方向になるように摩擦領域を形成すれば、円周方向４０に擦ることを防ぐことが可能になると同時に、直径方向３９に擦ることを示唆することが可能になり、円周方向に擦ることによって、光記録媒体２を落としたり、入射面１８を触ってしまい、入射面１８に傷が着くことを防ぐ事が可能になるため、好ましい。なお、これに限定する必要は無く、摩擦領域は、芳香光記録媒体２の使用目的や、レーベル１０のデザインや、摩擦領域に存在する非破壊マイクロカプセル２５の量や、香料２６の種類によって任意に形成することが可能であり、方向を有さない絵柄や形状を摩擦領域に採用して摩擦領域が方向を有さないようにすることも可能であるし、また、方向を有する絵柄や形状等を摩擦領域採用して摩擦領域が方向を有している場合に、その向きが、例えば円周方向になるように設ける事も可能である。なお、認識情報が向きを有する英字や文字や数字である場合は、その向きが摩擦領域の向きと同じ向きになるように認識情報を設けることが好ましい。本実施の形態では、認識情報は英字であり向きを有する為、その向きが、絵柄摩擦領域設３５の向き３８と同じ方向になるように設けている。よって、摩擦領域を擦る際に混乱が生じるのを防ぐことが可能になっている。また、摩擦領域に採用した形状や絵柄等が向きを有さない為に摩擦領域が向きを有さない場合では、認識情報を、向きを有する英字や文字や数字にして、認識情報によって摩擦領域の向きを特定するようにすることも可能である。例えば、摩擦領域が色を塗った四角形である為、摩擦領域が向きを有さない場合は、認識情報には、向きを有する数字や英字や文字等を採用して摩擦領域に設ければ、認識情報が設けられた向きが摩擦領域の向きとなるため、摩擦領域の向きを特定することが可能になる。この場合は、認識情報が直径方向を向くように設けた方が、摩擦領域を直径方向に擦ることを示唆することが可能になるため好ましい。なお、これに限定するわけではなく、認識情報は任意の向きで設けることが可能であるし、認識情報には任意のものを採用することが可能である。なお、レーベル１０や、収納体２や、芳香光記録媒体１を冊子体に添付した場合は、冊子体等に、擦り方や擦る方向を説明した注意書きを設ければ、より、入射面に傷をつけることなく擦ることが可能になるため好ましいが、これに限定するわけではない。
【００８１】
また、絵柄摩擦領域３５の背景３６は、レーベル１０のうち、絵柄摩擦領域３５以外の領域である。本実施の形態では、非破壊マイクロカプセル２４は、レーベル領域全体に任意に形成されている為、絵柄摩擦領域３５の背景３６にも非破壊マイクロカプセル２４が存在している。よって、全ての絵柄摩擦領域３５を擦った後は、絵柄摩擦領域３５の背景３６を擦ることによって再び香りを発生させることが可能であり、利用者は、全ての絵柄摩擦領域３５を擦った後は、絵柄摩擦領域３５の背景３６を擦ると認識しておくことによって、より香りを持続することが可能になる。なお、図示しないが、絵柄摩擦領域３５の背景３６もいくつかに分割して背景摩擦領域を形成すれば、絵柄摩擦領域３５の背景３６の何処を擦ったのかを認識することが可能になるため、より香りを持続することが可能になるが、これに限定するわけではない。なお、絵柄摩擦領域３５の背景３６をいくつかに分割して背景摩擦領域を形成する場合は、レーベル１０にいくつもの領域が存在して、レーベルのデザインが乱雑になる場合も考えられる為、背景摩擦領域の色を淡い色にする等の工夫をするとよいが、これに限定するわけではない。
【００８２】
図５は、本願発明の芳香光記録媒体を構成する光記録媒体の別の実施の形態を示したものであり、図５は、光記録媒体の正面図である。図１、図２、図４と同じ番号を付したものは同じものである為説明を割愛し、４５は摩擦領域である扇状摩擦領域、４６は光記録媒体の半径、４７は中心角、４８は認識情報である数字、４９は扇状摩擦領域４５の向きである。
【００８３】
図５において、レーベル１０には、摩擦領域である扇状摩擦領域４５が形成されており、レーベル１０を擦る際に何処を擦ったのかが認識でき、更に、光記録媒体３の直径方向４０に擦るように示唆することが可能になっている。また扇状摩擦領域４５は、半径４６を均等に８本引いたことによって区分された略扇状の形をしており、一つの扇状摩擦領域４５の中心角４７は、４５度である。また、図示しないが一つの扇状摩擦領域４５は、隣り合う扇状摩擦領域４５とは同じ色にならないように塗られており、合計で４つの色によって区分けされている。また、本実施の形態では、レーベル１０は、インキ層２２と透明インキ層２３によって構成されており、インキ層２２によってレーベルが略扇状に区分けされている。また、透明インキ層２３は、インキ層２２の上に、インキ層２２全体を覆うように設けられており、透明インキ層２３に存在する破壊マイクロカプセル２４と非破壊マイクロカプセル２５は、任意に分散して存在している。また、破壊マイクロカプセル２４と非破壊マイクロカプセル２５の比は、７対３である。なお、本実施の形態では、インキ層２２と透明インキ層２３によってレーベル１０を形成しており、また、インキ層２２と透明インキ層２３の両方の層で扇状摩擦領域４５を形成しているが、これに限定する必要は無い。レーベル１０は、破壊マイクロカプセル２４と非破壊マイクロカプセル２５が存在すれば、任意のやり方で形成することが可能であり、例えば、インキ層２２のみで形成することも可能である。また、摩擦領域も、摩擦領域に非破壊マイクロカプセル２５が存在すれば、任意のやり方で形成することが可能であり、例えば、インキ層２２を形成している、レーベルを略扇状に区分けするインキにマイクロカプセルを含ませておき、形成時に圧着エアーのメモリを調節して非破壊マイクロカプセル２５を形成するというように、インキ層２２のみで形成することも可能である。なお、扇状摩擦領域４５の中心角４７の角度は、４５度に限定する必要は無く、９０度以下であれば、任意の角度にすることが可能である。扇状摩擦領域３４の中心角４７の角度を、９０度以下にすることによって、レーベル１０を擦る際に、円周芳香４０に擦ることを防ぐことが可能になると同時に、直径方向３９に擦るように示唆することが可能になる。なお、扇状摩擦領域４５を一回擦るだけで十分な香りを得ることが出来るように、中心角４７の角度は１５度以上７０度以下にすることが好ましく、更には、３０度以上６０度以下にすることが好ましいが、これに限定する必要は無く、中心角４７の角度は９０度以下であれば任意の角度にすることが可能であり、例えば、中心角４７を０度にして一本の直線にすることも可能である。なお、１本の直線にする際は、指でレーベル１０を擦るため、擦る指の太さを考慮して、直線の太さを少なくとも１ｃｍ以上にすることが好ましい。また、直線の太さを１ｃｍ以上にしない場合では、隣り合う直線との間隔を１ｃｍ以上空けるようにするとよい。なお、これに限定するわけではない。また、本実施の形態では、レーベル１０全体に扇状摩擦領域４５を形成したがこれに限定する必要は無く、例えば、半径４６を２本だけ引いて扇状摩擦領域４５を1��だけ形成するというように、レーベル１０の一部に形成することも可能である。なお、本実施の形態のように、レーベル１０全体に扇状摩擦領域４５を形成すれば、擦る際の指を動かす方向を直径方向に誘導することが可能になると共に、レーベルの全ての部分を効率良く擦ることが可能になり、より効率よく香りを持続することが可能になる。
【００８４】
また、扇状摩擦領域４５は、図示しないが認識情報である数字４８を有しており、どの扇状摩擦領域４５を擦ったかをより認識しやすくしている。本実施の形態では、認識情報である数字４８は、レーベル１０に設けられた扇状摩擦領域４５のうち、一番下の扇状摩擦領域４５が「１」であり、順に反時計回りに「２」、「３」と続き、「８」まで存在する。本実施の形態のように、摩擦領域が認識情報を有することによって、例えば、「１」と「２」の扇状摩擦領域３５を擦ったことを記憶しておけば、次に擦るのは、「３」の扇状摩擦領域３５であると一目見るだけで判断することが可能になるため、どの摩擦領域を擦ったかをより認識しやすくすることが可能になる。なお、どの摩擦領域を擦ったかを記録することが可能になるよう、例えば、認識情報を記録することが出来る欄等の認識情報記録部を収納体２や、芳香光記録媒体を冊子体に添付する場合では冊子体に設けるとよいが、これに限定するわけではない。なお、本実施の形態では、認識情報は数字を採用したがこれに限定する必要は無く、例えば、絵や記号や絵柄や摩擦領域の色等任意のものを採用することが可能である。なお、認識情報はレーベルを一目見るだけで、どの摩擦領域を擦ったのかを認識できるものであることが好ましく、例えば、複雑な漢字や、略同じような記号等のように、一目見ただけでは、どの摩擦領域を擦ったのか判別できないものは採用しない方がよい。
【００８５】
また、本実施の形態では、扇状摩擦領域４５が、半径４６を均等に８本引いたことによって区分された略扇状の形をしており、更に、その中心角４７が４５度であるため、レーベルを擦る際に、円周方向４０に擦ることを防ぐと同時に、直径方向３９に擦るように示唆することをより可能にしている。更に、本実施の形態では、認識情報である数字４８が直径方向３９を向くように、すなわち、光記録媒体２の外周側、若しくは、光記録媒体２の中心孔９側を向くように設けられているため、扇状摩擦領域４５の向き４９が直径方向３９であることをより特定することが可能になり、直径方向に擦ることをより示唆することが可能になっている。本実施の形態のように、認識情報が数字等のような向きを有するものである場合は、数字が直径方向を向くように設ければ、認識情報によって、扇状摩擦領域４５の向き４９が直径方向３９であることをより特定することが可能になるため好ましいが、これに限定するわけではない。なお、摩擦領域に扇状摩擦領域４５を採用した場合は、摩擦領域が略扇状であり、かつその中心角が９０度以下であるため、認識情報をどのように設けても、扇状摩擦領域４５の向き４９が直径方向３９であることを特定することが可能である。また、認識情報には、英字や数字等のように向きを有するもの以外のもの、例えば、記号や、模様や色などを採用することも可能であり、任意に設けることが可能である。なお、レーベル１０や、収納体２や、芳香光記録媒体１を冊子体に添付した場合は、冊子体等に、擦り方や擦る方向を説明した注意書きを設ければ、より、入射面に傷をつけることなく擦ることが可能になるため好ましいが、これに限定するわけではない。
【００８６】
図６は、図１に示す芳香光記録媒体を冊子体に添付した場合の一例を示したものである。図６において、図１と同じ番号を付したものは同じものであるため、説明を割愛し、５０は冊子体である書籍、５１は光記録媒体収納ポケット、５２は表表紙、５３は山折線部、５４は本文、５５は裏表紙、５６は表表紙５５の裏頁、５７は芳香光記録媒体挿入用開口、５８は芳香光記録媒体収納用の隙間６１の底部、５９は芳香光記録媒体収納用の隙間６１の右部、６０は芳香光記録媒体収納用の隙間６１の左部、６１は芳香光記録媒体収納用の隙間、６２は底部５８から芳香光記録媒体挿入用開口５７までの長さ、６３は認識情報記録部、６４は注意書きである。
【００８７】
図６において、芳香光記録媒体１は、冊子体である書籍５０に添付されて、販売されるものである。書籍５０は、芳香光記録媒体１を収納する芳香光記録媒体収納ポケット５１を有する表表紙５２と、この表表紙５２と山折線部５３を介して連接される本文５４と裏表紙５５とで構成されている。また、表表紙５２は、少なくとも２枚の紙の一部を貼り合わせて形成されており、芳香光記録媒体収納ポケット５１は、表表紙５２を構成する少なくとも２枚の紙が貼り合わされない隙間を利用して形成されている。具体的には、芳香光記録媒体収納ポケット５１は、表表紙の裏頁５６の任意の箇所に切り込みを入れて形成された芳香光記録媒体挿入用開口５７と、底部６１と左右両側を閉塞して形成された芳香光記録媒体収納用の隙間６１と、によって構成されており、芳香光記録媒体１は、芳香光記録媒体挿入用開口５７から芳香光記録媒体収納用の隙間６１に挿入されている。また、底部５８から芳香光記録媒体挿入用開口５７までの長さ６２は、芳香光記録媒体１の略半分の長さになるように設計されており、芳香光記録媒体１を芳香光記録媒体収納ポケット５１に収納した状態で、芳香光記録媒体１の上半分が見えるようになっている。更に、本実施の形態では、光岐記録媒体３は、略透明なビニール袋である収納体２によって密封されている為、芳香光記録媒体１を芳香光記録媒体収納ポケット５１に収納した状態で、光記憶媒体３の中心孔９から上が見えるようになっている。結局、本実施の形態では、芳香光記録媒体１は、表表紙５２の裏頁５６に添付されているため、表表紙５２を開いただけで芳香光記録媒体１に気づくことが可能であり、更に、芳香光記録媒体収納ポケット５１に芳香光記録媒体１を収納した状態で、光記録媒体３が見えるようになっているため、光記録媒体３に興味を惹きつけることが可能になり、香りに対する興味が薄れる前に芳香光記録媒体１を開封するように使用者を誘導することが可能になり、その結果、精神的な症状をより改善することが可能になる。なお、本実施の形態では、冊子体は書籍５０であり、芳香光記録媒体収納ポケット５１を形成して芳香光記録媒体１を添付したがこれに限定する必要は無い。冊子体は、本、雑誌、パンフレット、カタログ、及び、小冊子等、任意のものを採用することが可能である。また、芳香光記録媒体１も任意の箇所に任意のやり方で添付することが可能であり、例えば、冊子体が中綴じの場合であれば、針金が折り返される冊子体の中央に公知のやり方を採用して添付することが可能である。
【００８８】
また、本実施の形態では、表表紙５２の、芳香光記録媒体収納ポケット５１が形成されている近傍に、レーベル１０９に形成されている摩擦領域が有する認識情報を記録することが可能な認識情報記録部６３が設けられており、すでに擦った摩擦領域がどれであるのかを認識することが可能になっている。本実施の形態では、認識情報記録部６３は、認識情報が予め記載された表であり、すでに擦った摩擦領域の認識情報の欄に日付を書き込むことによって、すでに擦った摩擦領域が何であるのかを確認することが可能になっている。なお、認識情報記録部６３は、設けることに限定する必要は無く、設けないようにすることも可能である。また、認識情報記録部６３を設ける場合は、冊子体の表表紙５２に限定する必要は無く、任意の箇所に設けることが可能であるし、また例えば、冊子体ではなく収納体２やレーベル１０に設けることも可能である。また、注意書き６４は、芳香光記録媒体１の使用方法や、レーベル１０の擦り方や、擦る際に指を動かす方向の説明等が記載された箇所である。利用者は、この注意書き６４を読むことによって、芳香光記録媒体１が、レーベルを擦ることによって再び香りを発生するものであることを知ることが可能であり、また、レーベルを擦る際に、レーベルのどの箇所を、どの方向に指を動かして擦れば、入射面に傷をつけることなく擦ることが可能であるのかを知ることが可能になる。なお、注意書き６４は、表表紙５２に設けることに限定する必要は無く、例えば、収納体２に設けることも可能であるし、また例えば、別紙に記載して、光記録媒体と一緒に密封することも可能である。なおこれに限定する必要は無く、注意書き６４は、任意の箇所に任意のやり方を採用して設けることが可能であり、更には、設けないようにすることも可能である。
【００８９】
また、書籍５０の本文５４は、添付された光記録媒体３の情報記憶領域１６に記憶されている北海道のラベンダー畑に関する記事であり、書籍５０の内容と、光記録媒体３の情報記憶領域１６に記憶されている情報と、破壊マイクロカプセル２４の香料２６が発散する香りによって、より精神的な症状を改善することが可能となっている。なお、本実施の形態では、書籍５０の本文５４と、光記録媒体３の情報記憶領域１６に記憶されている情報と、レーベル１０が有する破壊マイクロカプセル２４内の香料２６が発散する香りとをラベンダーという同一の対象に関するものにしたが、これに限定する必要は無く、書籍５０の本文５４と、光記録媒体３の情報記憶領域１６に記憶されている情報と、レーベル１０が有する破壊マイクロカプセル２４内の香料２６が発散する香りは、任意のものを採用することが可能である。又、同一の対象にする場合も任意の対象を採用することが可能である。
【図面の簡単な説明】
【００９０】
【図１】図１は、本願発明における芳香光記録媒体の正面図である。
【図２】図２は、図１の光記録媒体のみの、線分Ａ−Ａによる断面図である。
【００９１】
図２（Ａ）は、線分Ａ−Ａによる断面全体を現した正面図である。
【００９２】
図２（Ｂ）は、図２（Ａ）の断面図を拡大した拡大図である。
【図３】図３は、スキージーが版を押す圧力と、形成される破壊マイクロカプセルの量の関係を示す図である。
【図４】図４は、図１に示す芳香光記録媒体の光記録媒体のみの正面図である。
【図５】図５は、本願発明の芳香光記録媒体を構成する光記録媒体の別の実施の形態を示したものである。
【図６】図６は、図１に示す芳香光記録媒体を冊子体に添付した場合の一例を示したものである。
【符号の説明】
【００９３】
１…芳香光記録媒体、２…収納体、３…光記録媒体、４…収納体の表面、５…収納体の裏面、６…封止部、７…収納口、８…基板、９…中心孔、１０…レーベル、１１…上基板、１２…下基板、１３…基板の直径、１４…中心孔の直径、１５…光記録媒体の中心、１６…情報記憶領域、１７…レーザー光、１８…入射面、１９…クランプゾーン、２０…情報記憶領域１６の厚み、２１…クランプゾーン１９の厚み、２２…インキ層、２３…透明インキ層、２４…破壊マイクロカプセル、２５…非破壊マイクロカプセル、２６…香料、２７…リブ、３１…破壊マイクロカプセルの割合を示す縦軸、３２…スキージーが版を押す圧力を示す、圧着エアーのメモリ、３３…圧着エアーのメモリの変化とその際の破壊マイクロカプセルの割合示す対応曲線、３５…摩擦領域である絵柄摩擦領域、３６…絵柄摩擦領域の背景、３７…認識情報である英字、３８…絵柄摩擦領域の向き、３９…直径方向、４０…円周方向、４１…絵柄摩擦領域に描かれた目、４２…絵柄摩擦領域に描かれた口、４５…摩擦領域である扇状摩擦領域、４６…光記録媒体の半径、４７…中心角、４８…認識情報である数字、４９…扇状摩擦領域４５の向き、５０…冊子体である書籍、５１…光記録媒体収納ポケット、５２…表表紙、５３…山折線部、５４…本文、５５…裏表紙、５６…表表紙５５の裏頁、５７…芳香光記録媒体挿入用開口、５８…芳香光記録媒体収納用の隙間６１の底部、５９…芳香光記録媒体収納用の隙間６１の右部、６０…芳香光記録媒体収納用の隙間６１の左部、６１…芳香光記録媒体収納用の隙間、６２…底部５８から芳香光記録媒体挿入用開口５７までの長さ、６３…認識情報記録部、６４…注意書き
【図１】
2005149663.tif 000003
【図２】
2005149663.tif 000004
【図３】
2005149663.tif 000005
【図４】
2005149663.tif 000006
【図５】
2005149663.tif 000007
【図６】
2005149663.tif 000008